(57)【要約】【課題】動作が確実で、長期使用に耐えられ、設定温度範囲が広く、低コストな温度報知用匂い発生装置を提供する。【解決手段】匂い物質１が密閉容器２に収容され、この密閉容器２を開封する開封部材３が付勢されたバネ部材４に一体化されており、この付勢されたバネ部材４が所定温度で融解する低融点合金５で固められている。低融点合金５が融解するとバネ部材４が解勢され開封部材３が密閉容器２を開封する。【選択図】        図１
2004347418.tif 000002
【特許請求の範囲】
【請求項１】
匂い物質が密閉容器に収容され、この密閉容器を開封する開封部材が付勢されたバネ部材に一体化されており、この付勢されたバネ部材が所定温度で融解する低融点合金で固められていることを特徴とする温度報知用匂い発生装置。
【請求項２】
前記開封部材が前記密閉容器に臨ませた刃を有することを特徴とする請求項１記載の温度報知用匂い発生装置。
【請求項３】
前記密閉容器の少なくとも一部がアルミ箔ラミネートプラスチックフィルムで構成されていることを特徴とする請求項１又は２記載の温度報知用匂い発生装置。
【請求項４】
前記バネ部材が前記密閉容器内に設けられていることを特徴とする請求項１〜３いずれか記載の温度報知用匂い発生装置。
【請求項５】
前記バネ部材が前記密閉容器外に設けられていることを特徴とする請求項１〜３いずれか記載の温度報知用匂い発生装置。
【請求項６】
前記バネ部材が前記密閉容器内と前記密閉容器外とにそれぞれに設けられていることを特徴とする請求項１〜３いずれか記載の温度報知用匂い発生装置。
【発明の詳細な説明】
【０００１】
【発明の属する技術分野】
本発明は、所定の温度以上で匂い（臭い；以下、匂いに統一）を発生させる温度報知用匂い発生装置に係り、特に、動作が確実で、長期使用に耐えられ、設定温度範囲が広く、低コストな温度報知用匂い発生装置に関するものである。
【０００２】
【従来の技術】
従来、火災報知の目的で電気機器をはじめとする機器類の温度監視をする方法・装置として、各種の温度計を用いた方法や熱により色が変化するラベルを用いる方法がある。
【０００３】
より確実にかつ簡易に温度を検出（報知）する方法としては、匂い検出装置（ガス検出装置）を用い、熱により匂いを発生させる装置により匂いを発生させ、その匂いを検出する方法が特許文献１〜３に記載されている。
【０００４】
また、熱により匂いを発生させる装置（以下、匂い発生装置という）が特許文献４〜９に記載されている。
【０００５】
【特許文献１】
特開平２−１４７８５８号公報
【特許文献２】
特開平５−０１８８３１号公報
【特許文献３】
特開平６−０６６６４８号公報
【特許文献４】
特開昭５９−１０３６７８号公報
【特許文献５】
特開昭６３−９７１６８号公報
【特許文献６】
特開昭６４−７５２８４号公報
【特許文献７】
特開平５−１８８３１号公報
【特許文献８】
特開平６−０６６６４７号公報
【特許文献９】
特開平６−０６６６４６号公報
【特許文献１０】
特開２００２−１３９３８７号公報
【特許文献１１】
特開２００２−１６８７０３号公報
【０００６】
【発明が解決しようとする課題】
前記従来の匂い発生装置は、熱溶融性樹脂組成物製のシートを用いて匂い物質を閉じ込めている。このシートは、気体透過度或いは液体浸透度が比較的小さいものであるが、気体透過度及び液体浸透度が十分小さいとは言えず、長期にわたり使用したときには、シートの外に匂い物質が流失してしまうことが避けられない。そこで、特許文献１０では、ガス透過性の小さい無機物質を容器にする方法を提案している。また、特許文献１１では、ガス透過性の匂い物質が封入されている匂い発生袋と、温度が予め設定された異常温度に上昇したときにこの匂い発生袋を突き破ることのできる感温性カッター部材を別々に用いることを提案している。これらの方法・装置は、気体透過度、液体浸透度が十分小さく長期の使用に耐え得る構成となっている。
【０００７】
しかしながら、特許文献１０の匂い発生機構は、温度が異常温度になったときに低融点合金が融解することで容器の密封が破れる方式であり、多くの場合は十分に機能するが、匂い物質が吹き出た瞬間に低融点合金が揮発熱などにより冷却され再び容器が密封されてしまい、機能しない（匂い物質が発生しない）ことが懸念される。また、特許文献１１の方法は、カッター部材を形状記憶合金などで形成し、異常温度で機能させる（カッター部材が形状変形して匂い発生袋を突き破る）という方法であり、確実な方法である反面、形状記憶合金の温度設定範囲（４０℃から６０℃程度）が小さく、また、部品が高価であるという欠点を有している。
【０００８】
そこで、本発明の目的は、上記課題を解決し、動作が確実で、長期使用に耐えられ、設定温度範囲が広く、低コストな温度報知用匂い発生装置を提供することにある。
【０００９】
【課題を解決するための手段】
上記目的を達成するために本発明は、匂い物質が密閉容器に収容され、この密閉容器を開封する開封部材が付勢されたバネ部材に一体化されており、この付勢されたバネ部材が所定温度で融解する低融点合金で固められているものである。
【００１０】
前記開封部材が前記密閉容器に臨ませた刃を有してもよい。
【００１１】
前記密閉容器の少なくとも一部がアルミ箔ラミネートプラスチックフィルムで構成されていてもよい。
【００１２】
前記バネ部材が前記密閉容器内に設けられていてもよい。
【００１３】
前記バネ部材が前記密閉容器外に設けられていてもよい。
【００１４】
前記バネ部材が前記密閉容器内と前記密閉容器外とにそれぞれに設けられていてもよい。
【００１５】
ここで、「付勢」とは、バネ部材に圧縮または引張りの歪みを付加することをいう。
【００１６】
【発明の実施の形態】
以下、本発明の一実施形態を添付図面に基づいて詳述する。
【００１７】
図１に示されるように、本発明に係る匂い発生装置は、匂い物質１が密閉容器２に収容され、この密閉容器２を開封する開封部材３が付勢されたバネ部材４に一体化されており、この付勢されたバネ部材４が所定温度で融解する低融点合金５で固められているものである。
【００１８】
バネ部材４に着目すると、図２に示されるように、バネ部材４は螺旋形状（渦巻き形状）に形成された渦巻きコイルバネであり、コイル線材を外周から内周へ径を小さくしながら周回させて形成されている。開封部材３は最内周のコイル線材に設けられている。低融点合金５は、予め渦巻きの軸の方向に圧縮して付勢されているバネ部材４の外周から内周へ径方向に設けられ、周回するそれぞれのコイル線材に固着されている。これにより、バネ部材４は圧縮して付勢された状態に固定されている。
【００１９】
図３に示されるように、バネ部材４が付勢されていると、バネ部材４全体が平坦になっており、開封部材３もバネ部材４と同じ高さの位置にあるが、図４に示されるように、もし、バネ部材４が解勢されると内周のコイル線材が隆起して開封部材３が頂点に位置する。つまり、本発明に係る匂い発生装置では、雰囲気温度が低融点合金５の融解温度になると、低融点合金５が融解して固着力を失い、バネ部材４が解勢されて開封部材３が頂点まで移動するようになっている。
【００２０】
開封部材３は、例えば、最内周のコイル線材の先端を鋭利な刃に加工したものである。開封部材３は、コイル線材とは別体のカッターで構成しコイル線材の先端に取り付けてもよい。いずれの場合も、開封部材３は、バネ部材４が伸びる方向に刃を向けておくことにより、図４に示されるように、解勢されて隆起したバネ部材４の頂点よりさらに刃が突き出すことになる。
【００２１】
図１に示されるように、開封部材３を一体的に有し低融点合金５により付勢された状態のまま固められたバネ部材４は、密閉容器２の中に設けられている。密閉容器２の底部にバネ部材４の外周のコイル線材が固定されており、バネ部材４自体は付勢された状態のまま固められているので、バネ部材４全体が密閉容器２の底部に位置している。
【００２２】
密閉容器２は、全体もしくは一部がアルミ箔と樹脂ラミネートフィルムとにより構成されている。即ち、アルミ箔をプラスチックフィルムに挟み込んでアルミ箔ラミネートプラスチックフィルム（以下、フィルムという）とし、このフィルムを図１のように円筒状に形成して密閉容器２が構成されている。密閉容器２は、袋状に形成してもよい。密閉容器２の全面をフィルムで構成してもよいし、開封部材３により開封される箇所のみをフィルムで構成してもよい。
【００２３】
低融点合金５は、金属組成により融点を設定したものである。金属組成を選べば室温から２００℃以上にわたる広い温度範囲で任意の融点を設定することができる。使用する金属としては、環境汚染を配慮して鉛やカドミウム以外の金属とするのがよい。
【００２４】
図１の匂い発生装置は、雰囲気温度が低融点合金５の融解温度である異常温度に達すると、低融点合金５が融解して固着力を失う。すると、図５に示されるように、バネ部材４が解勢されて開封部材３が頂点まで移動し、開封部材３の刃が密閉容器２に突き刺さり、密閉容器２が開封されることになる。密閉容器２が開封されると、密封されていた匂い物質１が漏れ出し、匂い発生装置の周囲に拡散する。この匂いは、従来同様にガス検出装置で検出したり人が認識したりすることができるので、温度異常が報知されることになる。
【００２５】
以上説明したように、本発明によれば、開封部材３が付勢されたバネ部材４に一体化されており、この付勢されたバネ部材４が所定温度で融解する低融点合金５で固められているので、雰囲気温度が低融点合金５の融解温度になると、低融点合金５が融解して固着力を失い、バネ部材４が解勢されて開封部材３が密閉容器２を開封することになる。
【００２６】
本発明によれば、いったん密閉容器２の密封が破れると再び密閉容器２が密封されることがないので、確実に匂い物質を発生させることができる。
【００２７】
また、本発明によれば、気体透過度或いは液体浸透度が十分に小さい材料で密閉容器２を構成することができ、長期使用にも耐えられる。
【００２８】
また、本発明によれば、低融点合金５を用いているので、形状記憶合金に比べて設定温度範囲が広く、かつ低コストである。
【００２９】
また、本発明によれば、開封部材３が密閉容器２に臨ませた刃を有することにより、開封部材３が密閉容器２に鋭く切り込むことになり、密閉容器２を容易にかつ確実に開封することができる。
【００３０】
また、本発明によれば、密閉容器２の少なくとも一部がアルミ箔ラミネートプラスチックフィルムで構成されているので、密閉容器２を容易にかつ確実に開封することができる。なお、アルミ箔の厚さは、５μｍ以上であり２０μｍ以下であることが望ましい。アルミ箔の厚さが５μｍ未満のアルミ箔ラミネートプラスチックフィルムではアルミ箔中にピンホール等の欠陥部分が存在することが多く、匂い物質が流失するおそれがある。そこで、アルミ箔の厚さを５μｍ以上とすれば匂い物質の流失を防ぐことができる。また、アルミ箔の厚さが２０μｍを越えるとアルミ箔ラミネートプラスチックフィルムの剛性、強度が高くなりすぎ開封が不確実になる。そこで、アルミ箔の厚さを２０μｍ以下とすれば開封が確実になる。
【００３１】
次に、他の実施形態を説明する。
【００３２】
図６に示されるように、本発明に係る匂い発生装置は、匂い物質１が密閉容器２に収容され、この密閉容器２を開封する開封部材８が付勢されたバネ部材６に一体化されており、この付勢されたバネ部材６が所定温度で融解する低融点合金５で固められているものである。
【００３３】
バネ部材６は螺旋形状に形成された円筒コイルバネであり、コイル線材を一定ピッチで軸方向に進ませながら一定径で周回させて形成されている。低融点合金５は、予め軸方向に伸長させて付勢されているバネ部材６の軸方向に設けられ、周回するそれぞれのコイル線材に固着されている。これにより、バネ部材６は伸長させて付勢された状態に固定されている。
【００３４】
バネ部材６は密閉容器２の外に設けられている。バネ部材６は、密閉容器２を挟んで２箇所に起立させて設けられており、２つのバネ部材６の上端間に密閉容器２を跨ぐようにステー７がさし渡されており、このステー７に開封部材８が取り付けられている。開封部材８は密閉容器２に刃を臨ませたカッターである。
【００３５】
密閉容器２は図１で説明したものと同じである。
【００３６】
この匂い発生装置では、温度が低い間は、バネ部材６が伸長して付勢された状態に固められているので、開封部材８が密閉容器２に接触することがない。雰囲気温度が低融点合金５の融解温度である異常温度に達すると、低融点合金５が融解して固着力を失う。すると、図７に示されるように、バネ部材６が解勢されて縮むのでステー７が密閉容器２に接近し、開封部材８が密閉容器２に突き刺さり、密閉容器２が開封されることになる。
【００３７】
図８に示した匂い発生装置は、図１の匂い発生装置と図６の匂い発生装置とを複合したものである。即ち、匂い物質１が収容された密閉容器２の底部に低融点合金５で固定された渦巻き形状のバネ部材４が設けられていると共に、密閉容器２の外部には密閉容器２に臨ませた開封部材８が低融点合金５で固定された円筒コイル形状のバネ部材６により支持されている。
【００３８】
この匂い発生装置において雰囲気温度が低融点合金５の融解温度である異常温度に達すると、既に説明した動作により、図９に示すように密閉容器２内のバネ部材４は伸長し、密閉容器２外のバネ部材６は短縮するので、それぞれの開封部材３，８が密閉容器２を内外から開封することになる。
【００３９】
図１のように、バネ部材４を密閉容器２内に設けた場合、匂い発生装置を管理・運搬・設置する際の部品点数は１個（密閉容器２）であるから取り扱いが容易になる。
【００４０】
図６のように、バネ部材６を密閉容器２外に設けた場合、密閉容器２とバネ部材４とが個別の部品となるため、定期交換のときに交換する部品は密閉容器２のみ（或いはバネ部材４）となり、省資源となる。
【００４１】
図８のように、バネ部材４，６を記密閉容器２内と密閉容器２外とにそれぞれに設けると、いずれか一方のバネ部材４，６が解勢されれば密閉容器２が開封されるので、動作が確実になり信頼性が増す。
【００４２】
なお、上記実施形態では、バネ部材４，６をコイルバネとしたが、板バネを用いてもよいことは勿論である。また、図２〜４で説明したバネ部材４を密閉容器２外に設けて開封部材３が密閉容器２に外から臨むようにしてもよい。
【００４３】
【発明の効果】
本発明は次の如き優れた効果を発揮する。
（１）動作が確実になる。
（２）長期使用に耐えられる。
（３）設定温度範囲が広くなる。
（４）低コストである。
【図面の簡単な説明】
【図１】本発明の一実施形態を示す匂い発生装置の側断面図である。
【図２】本発明の一実施形態を示すバネ部材の平面図である。
【図３】本発明の一実施形態を示すバネ部材の側面図である。
【図４】本発明の一実施形態を示すバネ部材の動作時の側面図である。
【図５】本発明の一実施形態を示す匂い発生装置の動作時の側断面図である。
【図６】本発明の他の実施形態を示す匂い発生装置の側断面図である。
【図７】本発明の他の実施形態を示す匂い発生装置の動作時の側断面図である。
【図８】本発明の他の実施形態を示す匂い発生装置の側断面図である。
【図９】本発明の他の実施形態を示す匂い発生装置の動作時の側断面図である。
【符号の説明】
１  匂い物質
２  密閉容器
３  開封部材
４  バネ部材
５  低融点合金
【図１】
2004347418.tif 000003
【図２】
2004347418.tif 000004
【図３】
2004347418.tif 000005
【図４】
2004347418.tif 000006
【図５】
2004347418.tif 000007
【図６】
2004347418.tif 000008
【図７】
2004347418.tif 000009
【図８】
2004347418.tif 000010
【図９】
2004347418.tif 000011